(57)【要約】【課題】コンパクトな配置により部品をパネルに固定することができる電子機器を提供する。【解決手段】背面パネル１と、両面テープ４ａと、操作釦ユニット３と、導光片２と、を備える。背面パネル１は、導光孔１１を備え、自装置の筐体を構成する。両面テープ４ａは、背面パネル１上に設けられる。操作釦ユニット３は、規制ピン３１を備え、両面テープ４ａを介して背面パネル１に固定される。導光片２は、導光孔１１及び規制ピン３１で規制され、両面テープ４ａを介して背面パネル１に固定される。【選択図】図４
2008181836.tif 000002
【特許請求の範囲】
【請求項１】
第１の規制手段を備え、自装置の筐体を構成するパネルと、
前記パネル上に設けられた接着手段と、
第２の規制手段を備え、前記接着手段を介して前記パネルに固定される操作部材と、
前記第１の規制手段及び前記第２の規制手段で規制され、前記接着手段を介して前記パネルに固定される被接着部材と、
を備える電子機器。
【請求項２】
前記第１の規制手段は、前記パネル上に設けられた孔であり、
前記被接着部材は、
透明プラスチックで形成され、突起部を備え、
前記突起部を前記第１の規制部材に挿入することにより、前記第１の規制手段に規制され、
前記第１の規制手段及び前記突起部が配置された箇所に発光手段を設けた、
請求項１に記載の電子機器。
【請求項３】
前記被接着部材は、
前記第１の規制手段に規制される第１の被規制手段と、
前記第２の規制手段に規制される第２の被規制手段と、
前記接着手段に接着される被固定手段と、を備え、
前記被固定手段は、前記第１の被規制手段と前記第２の被規制手段との間に設けられる、
請求項１に記載の電子機器。
【請求項４】
前記被接着部材は、
前記第２の規制手段と係合する係合部を備える板体と、
前記板体に隣接し、前記板体より厚みが厚く、前記接着手段に接着される接着面当接部と、
を備える、
請求項１に記載の電子機器。
【請求項５】
前記接着手段は、前記パネル上の同一平面内に配置する、
請求項１に記載の電子機器。
【請求項６】
前記接着手段は、両面テープであり、
前記操作部材及び前記被接着部材は、共通する両面テープで、前記パネルに固定されている、
請求項１に記載の電子機器。
【発明の詳細な説明】
【技術分野】
【０００１】
本発明は、筐体に固定する操作部材を備える電子機器に関する。
【背景技術】
【０００２】
近年、電子機器の高機能化に伴い、操作部材類も多く取り付けられるようになってきた。そのため、筐体を構成するパネルへの各部材の取り付けスペースを確保するのが困難になり、操作部材をはじめとする各部材のパネルに対する位置決めが難しくなってきた。
【０００３】
特許文献１は、所定形状部と操作部材とを備える電子機器を開示している。所定形状部と操作部材とは、筐体の内側に設けられている。操作部材は、相補的形状部を備える。相補的形状部は、所定形状部とほぼ相補的な形状を有する。そして、操作部材は、所定形状部に相補的形状部を嵌合させることにより筐体に対して位置決めされる。
【０００４】
これにより、操作部材の位置決め部を外部に露出することなく形成できる。
【特許文献１】特開２００６−２０８８００号公報
【発明の開示】
【発明が解決しようとする課題】
【０００５】
しかしながら、従来の電子機器では、操作部材を筐体に固定するために、所定形状部を別途設ける必要がある。操作部材類が増える中、このような構成では、電子機器のコンパクト化に不利である。
【０００６】
そこで、本発明は、コンパクトな配置により部品をパネルに固定することができる電子機器を提供することを目的とする。
【課題を解決するための手段】
【０００７】
上記の問題点を解決するために、本発明の電子機器は、第１の規制手段を備え、自装置の筐体を構成するパネルと、パネル上に設けられた接着手段と、第２の規制手段を備え、接着手段を介してパネルに固定される操作部材と、第１の規制手段及び第２の規制手段で規制され、接着手段を介してパネルに固定される被接着部材と、を備える。これにより、被接着部材は第１の規制手段及び第２の規制手段で規制されているので、被接着部材を操作部材の近傍に配置する場合、コンパクトな規制手段により、被接着部材を精度良く規制できる。
【０００８】
ここで、第１の規制手段は、パネル上に設けられた孔としてもよい。そして、被接着部材は、透明プラスチックで形成され、突起部を備え、突起部を第１の規制部材に挿入することにより、第１の規制手段に規制され、第１の規制手段及び突起部が配置された箇所に発光手段を設けるようにしてもよい。これにより、電子機器の内部で発光した光が、被接着部材及び第１の規制部材を通って、電子機器の外部に向けて放出できる。また、このような発光手段と第１の規制手段とを兼用できるので、コンパクトな規制手段により、被接着部材を規制できる。
【０００９】
また、被接着部材は、第１の規制手段に規制される第１の被規制手段と、第２の規制手段に規制される第２の被規制手段と、接着手段に接着される被固定手段と、を備えるようにしてもよい。そして、被固定手段は、第１の被規制手段と第２の被規制手段との間に設けられるようにしてもよい。これにより、被接着部材を精度良く位置決めできるとともに、被接着部材全体をコンパクトにできる。
【００１０】
また、被接着部材は、第２の規制手段と係合する係合部を備える板体と、板体に隣接し、板体より厚みが厚く、接着手段に接着される接着面当接部と、を備えるようにしてもよい。これにより、操作部材の接着面と接着面当接部の接着面とを略同一平面内に配置できるので、組立作業性を向上できる。
【００１１】
また、接着手段は、パネル上の同一平面内に配置するようにしてもよい。これにより、両面テープ４ａの背面パネル１上への設置、及び操作釦ユニット３、導光片２の両面テープ４ａへの設置の際に、作業性を向上できる。
【００１２】
また、接着手段として両面テープを用いてもよい。そして、操作部材及び被接着部材は、共通する両面テープで、パネルに固定されるようにしてもよい。これにより、１回の接着手段の貼り付けで、操作部材用の接着手段と被接着部材用の接着手段とを同時に貼り付けることができる。
【発明の効果】
【００１３】
本発明によれば、コンパクトな配置により部品をパネルに固定することができる。
【発明を実施するための最良の形態】
【００１４】
（実施の形態１）
１  構成の概要
本発明の実施の形態１に係るデジタルカメラ１００について、図１〜図５を用いて詳細に説明する。
【００１５】
図１は、デジタルカメラ１００の筐体を構成する背面パネル１の裏面の要部拡大斜視図である。背面パネル１の裏面には、操作釦ユニット３が両面テープ４ａ、４ｂを介して固定されている。操作釦ユニット３には規制ピン３１が設けられている。導光片２は、背面パネル１に設けられた導光孔１１（図３参照）及び規制ピン３１に規制されるとともに、両面テープ４ａを介して背面パネル１に固定されている。
【００１６】
図２は、背面パネル１を表面から見た平面図である。操作釦ユニット３の一部は、背面パネル１に形成された孔から露出している。ユーザーがその露出部を押下することにより、操作釦ユニット３は、操作釦として機能する。発光部５は、背面パネル１に形成された導光孔１１（図３参照）により構成され、背面パネル１の裏面側に配置された発光体（不図示）からの光を通過させる。背面パネル１には、液晶モニタ６が配置されている。
【００１７】
２  製造方法と構成の詳細
以下、本実施の形態１に係るデジタルカメラ１００の製造方法を説明するともに、構成の詳細を説明する。
【００１８】
図３は、背面パネル１を裏面から見た腰部拡大斜視図である。背面パネル１には、導光孔１１及び操作釦配置孔１２が設けられている。そして、背面パネル１の裏面上に両面テープ４ａ及び４ｂが貼り付けられている。この状態の背面パネル１をまず用意する。
【００１９】
次に、図４に示すように、操作釦ユニット３を背面パネル１に固定する。その際、操作釦ユニット３の押下部３２が操作釦配置孔１２から露出するように、操作釦ユニット３を配置する。そして、操作釦ユニット３を両面テープ４ａ、４ｂに接着させる。
【００２０】
次に、導光片２を背面パネル１に固定する。具体的には、まず、導光片２の導光孔挿入部２１（図５参照）を導光孔１１に挿入する。そして、規制板２３に設けられた切り欠き部２４（図５参照）を規制ピン３１に係合させる。これにより、導光片２は、背面パネル１及び操作釦ユニット３に対して、位置決めされる。次に、導光片２のテープ当接面２２を両面テープ４ａに接着させる。これにより、導光片２は、背面パネル１に固定される。
【００２１】
その後、操作釦ユニット３や導光片２の裏面側に電子部品付きのプリント基板を配置し、電子回路を形成する。特に、導光片２の裏面側には、ＬＥＤなどの発光体を配置する。これにより、発光体から発光される光が、導光片２及び導光孔１１を通って、外部に放出される。
【００２２】
次に、導光片２の形状について、図５を用いて詳細に説明する。
【００２３】
図５に示すように、導光片２は、導光孔挿入部２１及び切り欠き部２４が、導光孔１１及び規制ピン３１にそれぞれ規制される。これにより、導光片２は、背面パネル１及び操作釦ユニット３に対して、位置決めされる。そして、被規制部（導光孔挿入部２１及び切り欠き部２４）の間にテープ当接面２２があり、テープ当接面２２は両面テープ４ａに接着される。つまり、被固定部（テープ当接面２２）は、複数の被規制部の間にあるのである。被規制部間の距離は長い方が安定する。また、被規制部間に被固定部を配置することにより、導光片２全体をコンパクトにできる。以上より、これにより、被固定部を複数の被規制部の間に配置することにより、導光片２を精度良く位置決めできるとともに、導光片２全体をコンパクトにできる。
【００２４】
また、テープ当接部２２の厚みは、規制板２３の厚みに比べて、操作釦ユニット３の厚み分又はその厚みより大きい厚み分だけ厚い。つまり、テープ当接部２２の厚みは、規制板２３の厚みに操作釦ユニット３の厚みを加えた厚み以上の厚みである。これにより、導光片２を背面パネル１に配置した場合、テープ当接部２２の両面テープ４ａと当接する面は、操作釦ユニット３の両面テープ４ａと当接する面と同一平面となる。そのため、両面テープ４ａは、同一平面内に配置できる。両面テープ４ａを段差のない同一平面内に配置するのは、組立作業上好ましい。したがって、テープ当接部２２の厚みを、規制板２３の厚みに操作釦ユニット３の厚みを加えた厚み以上の厚みにすることにより、組立作業性を向上できる。
【００２５】
３  本発明の構成との対応
導光孔１１は、本発明の第１の規制手段の一例である。背面パネル１は本発明のパネルの一例である。両面テープ４ａは、本発明の接着手段の一例である。規制ピン３１は、本発明の第２の規制手段の一例である。操作釦ユニット３は、本発明の操作部材の一例である。導光片２は、本発明の被接着部材の一例である。デジタルカメラ１００は、本発明の電子機器の一例である。導光孔挿入部２１は、本発明の突起部の一例である。発光体（不図示）は、本発明の発光手段の一例である。導光孔挿入部２１は、本発明の第１の被規制手段の一例である。切り欠き部２４は、本発明の第２の被規制手段の一例である。テープ当接部２２は、本発明の被固定手段の一例である。切り欠き部２４は、本発明の係合部の一例である。規制板２３は、本発明の板体の一例である。テープ当接部２２は、本発明の接着面当接部の一例である。
【００２６】
４  本実施の形態１のまとめ
本実施の形態に係るデジタルカメラ１００は、背面パネル１と、両面テープ４ａと、操作釦ユニット３と、導光片２と、を備える。背面パネル１は、導光孔１１を備え、自装置の筐体を構成する。両面テープ４ａは、背面パネル１上に設けられる。操作釦ユニット３は、規制ピン３１を備え、両面テープ４ａを介して背面パネル１に固定される。導光片２は、導光孔１１及び規制ピン３１で規制され、両面テープ４ａを介して背面パネル１に固定される。
【００２７】
これにより、導光片２は導光孔１１及び規制ピン３１で規制されているので、導光片２を操作釦ユニット３の近傍に配置する場合、コンパクトな規制手段により、導光片２を精度良く規制できる。
【００２８】
仮に、導光片２を規制するための規制手段を両方とも背面パネル１に設ける場合、両方の規制手段を設けるためのスペースを背面パネル１上に設ける必要がある。そのため、本実施の形態１に係るデジタルカメラ１００に比べて、規制手段に要するスペースが大きくなる。
【００２９】
また、導光片２を規制するための規制手段を両方とも操作釦ユニット３に設ける場合、導光片２は背面パネル１に規制されていないことになり、導光片２の位置決めが不安定になる。
【００３０】
また、導光片２を規制するための規制手段を背面パネル１又は操作釦ユニット３に１つだけ設けた場合、導光片２は規制手段を中心とした回転が容易になるため、導光片２の位置決めが不安定になる。
【００３１】
また、本実施の形態に係るデジタルカメラ１００において、導光孔１１は、背面パネル１上に設けられた孔である。導光片２は、透明プラスチックで形成され、導光孔挿入部２１を備える。そして、導光片２は、導光孔挿入部２１を導光孔１１に挿入することにより、導光孔１１に規制される。さらに、導光孔１１及び導光孔挿入部２１が配置された箇所に発光体（不図示）を設ける。
【００３２】
これにより、デジタルカメラ１００の内部で発光した光が、導光片２及び導光孔１１を通って、デジタルカメラ１００の外部に向けて放出できる。また、このような発光部と第１の規制手段とを兼用できるので、コンパクトな規制手段により、導光片２を規制できる。
【００３３】
また、本実施の形態に係るデジタルカメラ１００において、導光片２は、導光孔１１に規制される導光孔挿入部２１と、規制ピン３１に規制される切り欠き部２４と、両面テープ４ａに接着されるテープ当接部２２と、を備える。そして、テープ当接部２２は、導光孔挿入部２１と切り欠き部２４との間に設けられる。
【００３４】
これにより、導光片２を精度良く位置決めできるとともに、導光片２全体をコンパクトにできる。
【００３５】
また、本実施の形態に係るデジタルカメラ１００において、導光片２は、規制ピン３１と係合する切り欠き部２４を備える規制板２３と、規制板２３に隣接し、規制板２３より厚みが厚く、両面テープ４ａに接着されるテープ当接部２２と、を備える。これにより、組立作業性を向上できる。
【００３６】
また、本実施の形態に係るデジタルカメラ１００において、両面テープ４ａは、背面パネル１上の同一平面内に配置する。これにより、両面テープ４ａの背面パネル１上への設置、及び操作釦ユニット３、導光片２の両面テープ４ａへの設置の際に、作業性を向上できる。
【００３７】
また、本実施の形態に係るデジタルカメラ１００において、操作釦ユニット３及び導光片２は、共通する両面テープ４ａで、背面パネル１に固定されている。これにより、１回の両面テープ４ａの貼り付けで、操作釦ユニット３用の両面テープと導光片２用の両面テープとを同時に貼り付けることができる。操作釦ユニット３用と導光片２用とを１枚の両面テープ４ａで共用しているからである。
【００３８】
（実施の形態２）
本発明は、実施の形態１に係るデジタルカメラ１００以外の実施の形態にも適用可能である。そこで、他の実施の形態をまとめて、以下、実施の形態２として説明する。
【００３９】
本発明の実施の形態１では、接着手段として両面テープ４ａ、４ｂを例示したが、本発明はこれに限定されない。例えば、液状の接着剤等でもよい。
【００４０】
実施の形態１では、被接着部材として導光片２を例示したが、本発明はこれに限定されない。例えば、他の電子部品や機構部品でも構わない。
【００４１】
実施の形態１では、第１の規制手段として導光孔１１を例示したが、本発明はこれに限定されない。例えば、第１の規制手段としてピンを設け、これと係合する穴を導光片２に設けてもよい。
【００４２】
実施の形態１では、第２の規制手段として規制ピン３１を例示したが、本発明はこれに限定されない。例えば、第２の規制手段として穴を設け、これと係合するピンを導光片２に設けてもよい。
【００４３】
実施の形態１では、電子機器としてデジタルカメラ１００を例示したが、本発明はこれに限定されない。要するに、操作部材を備える電子機器であれば、本発明は適用可能である。
【産業上の利用可能性】
【００４４】
本発明は、操作部材を備える電子機器に適用可能である。より具体的には、デジタルスチルカメラや携帯電話端末などに適用可能である。
【図面の簡単な説明】
【００４５】
【図１】本発明の実施の形態１に係るデジタルカメラの背面パネル裏面を示す要部拡大斜視図
【図２】本発明の実施の形態１に係るデジタルカメラの背面図
【図３】本発明の実施の形態１に係るデジタルカメラの操作釦ユニット取付前の背面パネル裏面を示す要部拡大斜視図
【図４】本発明の実施の形態１に係るデジタルカメラの操作釦ユニット取付後の背面パネル裏面を示す要部拡大斜視図
【図５】本発明の実施の形態１に係るデジタルカメラの導光片の斜視図
【符号の説明】
【００４６】
１    背面パネル
１１    導光孔
１２    操作釦配置孔
２    導光片
２１    導光孔挿入部
２２    テープ当接部
２３    規制板
２４    切り欠き部
３    操作釦ユニット
３１    規制ピン
３２    押下部
４ａ、４ｂ    両面テープ
５    発光部
６    液晶モニタ
１００    デジタルカメラ
【図１】
2008181836.tif 000003
【図２】
2008181836.tif 000004
【図３】
2008181836.tif 000005
【図４】
2008181836.tif 000006
【図５】
2008181836.tif 000007